(57)【要約】  太陽電池モジュール１００は、第１樹脂基板２０と、第１樹脂層３０と、光電変換部１０と、第２樹脂層４０と、第２樹脂基板５０と、を備える。第１樹脂層３０は第１樹脂基板２０下に配置される。光電変換部１０は第１樹脂層３０下に配置される。第２樹脂層４０は、光電変換部１０下に配置され、第１樹脂体４２と第２樹脂体４４とを含有する。第２樹脂基板５０は第２樹脂層４０下に配置される。第１樹脂層３０及び第１樹脂体４２の引張弾性率は第２樹脂体４４の引張弾性率より小さい。
2017150045.tif 000002
【特許請求の範囲】
【請求項１】
第１樹脂基板と、
前記第１樹脂基板下に配置された第１樹脂層と、
前記第１樹脂層下に配置された光電変換部と、
前記光電変換部下に配置され、第１樹脂体と第２樹脂体とを含有する第２樹脂層と、
前記第２樹脂層下に配置された第２樹脂基板と、を備え、
前記第１樹脂層及び前記第１樹脂体の引張弾性率は前記第２樹脂体の引張弾性率より小さいことを特徴とする太陽電池モジュール。
【請求項２】
前記第１樹脂層及び前記第１樹脂体の引張弾性率はそれぞれ１ＭＰａ以下であることを特徴とする請求項１に記載の太陽電池モジュール。
【請求項３】
前記第２樹脂体は前記第２樹脂基板の少なくとも一部と接触していることを特徴とする請求項１又は２に記載の太陽電池モジュール。
【請求項４】
前記光電変換部は太陽電池セルであり、隣接する前記太陽電池セルは互いに接続部材で電気的に接続されており、
前記第１樹脂体は前記接続部材の少なくとも一部と接触し、前記第２樹脂体は前記太陽電池セルの下面全体を接触して覆うことを特徴とする請求項１乃至３のいずれか１項に記載の太陽電池モジュール。
【請求項５】
前記第１樹脂体は前記光電変換部の少なくとも一部と接触していることを特徴とする請求項１乃至４のいずれか１項に記載の太陽電池モジュール。
【請求項６】
第１樹脂基板と、
前記第１樹脂基板下に配置された第１樹脂層と、
前記第１樹脂層下に配置された光電変換部と、
前記光電変換部下に配置され、第１樹脂体と第２樹脂体とを含有する第２樹脂層と、
前記第２樹脂層下に配置された第２樹脂基板と、を備え、
隣接した前記光電変換部は接続部材により互いに電気的に接続されており、
前記第１樹脂層及び前記第１樹脂体の引張弾性率は前記第２樹脂体の引張弾性率より小さいことを特徴とする太陽電池モジュール。
【発明の詳細な説明】
【技術分野】
【０００１】
本発明は、太陽電池モジュールに関し、特に樹脂基板を使用する太陽電池モジュールに関する。
【背景技術】
【０００２】
太陽電池モジュールの基板としてガラス基板が用いられているが、近年、軽量化のためにガラス基板に代わり樹脂基板が用いられるようになってきている。【０００３】
例えば、特許文献１には、基材層の主成分をポリカーボネートとした太陽電池モジュール用フロントシートが開示されている。そして、このような構成とすることにより、軽量で、高い耐衝撃性を有する太陽電池モジュール用フロントシートを実現させている。【０００４】
また、特許文献１では、太陽電池セルを保護するため、エチレン−酢酸ビニル系樹脂などの合成樹脂の封止材により形成された充填剤層が開示されている。
【先行技術文献】
【特許文献】
【０００５】
【特許文献１】特開２０１３−１４５８０７号公報
【発明の概要】
【０００６】
しかしながら、一般的に、樹脂の線膨張率はガラスの線膨張率より大きく、温度変化による熱伸縮の影響が大きい。そして、樹脂基板が熱伸縮した場合、樹脂基板と連動して封止材に応力がかかる。また、封止材自体も温度差により熱伸縮する。そのため、太陽電池モジュールの温度差に比例して基材層や充填剤層の熱応力が大きくなり、太陽電池セル間のタブ配線が疲労破断するおそれがあった。すなわち、従来の太陽電池モジュールは温度変化に対する耐性が十分なものとはいえなかった。
【０００７】
本発明は、このような従来技術の有する課題に鑑みてなされたものである。そして、本発明の目的は、温度変化に対する耐性に優れた太陽電池モジュールを提供することにある。
【０００８】
上記課題を解決するために、本発明の第一の態様に係る太陽電池モジュールは、第１樹脂基板と、第１樹脂層と、光電変換部と、第２樹脂層と、第２樹脂基板と、を備える。第１樹脂層は第１樹脂基板下に配置される。光電変換部は第１樹脂層下に配置される。第２樹脂層は、光電変換部下に配置され、第１樹脂体と第２樹脂体とを含有する。第２樹脂基板は第２樹脂層下に配置される。第１樹脂層及び第１樹脂体の引張弾性率は第２樹脂体の引張弾性率より小さい。
【０００９】
本発明の第二の態様に係る太陽電池モジュールは、第１樹脂基板と、第１樹脂層と、光電変換部と、第２樹脂層と、第２樹脂基板と、を備える。第１樹脂層は第１樹脂基板下に配置される。光電変換部は第１樹脂層下に配置される。第２樹脂層は、光電変換部下に配置され、第１樹脂体と第２樹脂体とを含有する。第２樹脂基板は第２樹脂層下に配置される。隣接した光電変換部は接続部材により互いに電気的に接続されている。第１樹脂層及び第１樹脂体の引張弾性率は第２樹脂体の引張弾性率より小さい。
【図面の簡単な説明】
【００１０】
【図１】図１は、本実施形態に係る太陽電池モジュールの一例を示す断面図である。
【図２】図２は、本実施形態に係る太陽電池モジュールを示す上面図である。
【図３】図３は、本実施形態に係る太陽電池モジュールの他の例を示す断面図である。
【図４】図４は、本実施形態に係る太陽電池モジュールの他の例を示す断面図である。
【図５】図５は、本実施形態に係る太陽電池モジュールの他の例を示す断面図である。
【図６】図６は、本実施形態に係る太陽電池モジュールの他の例を示す断面図である。
【発明を実施するための形態】
【００１１】
以下、図面を用いて本発明の実施形態に係る太陽電池モジュールについて詳細に説明する。なお、図面の寸法比率は説明の都合上誇張されており、実際の比率と異なる場合がある。
【００１２】
また、図面は、便宜上、ｘ軸、ｙ軸、ｚ軸からなる直角座標系を規定して説明している。ｘ軸、ｙ軸は、太陽電池モジュール１００の平面内において互いに直交する。ｚ軸は、ｘ軸及びｙ軸に垂直であり、太陽電池モジュール１００の厚み方向に延びる。また、ｘ軸、ｙ軸、ｚ軸それぞれの正の方向は、矢印の方向に規定され、負の方向は、矢印と逆向きの方向に規定される。なお、ｚ軸の正の方向が受光面側に該当し、ｚ軸の負の方向側が受光面と反対側に該当する。
【００１３】
また、「第１の部材の下に第２の部材を設ける」等の記載では、特に限定しない限り、第１の部材及び第２の部材が直接接触して設けられてもよく、第１の部材及び第２の部材の間に他の部材が存在してもよい。
【００１４】
太陽電池モジュールは、例えば、耐荷重性の問題のある建物などへ用途を拡大するため、軽量化が必要とされている。そのため、太陽電池モジュールの保護層として用いられている基板は、ガラス基板に代わり、樹脂基板が使用されるようになってきている。
【００１５】
一方、樹脂基板はガラス基板と比較して軽いものの、線膨張率が大きいため、熱伸縮による熱応力の影響が大きくなる。
【００１６】
ここで、熱応力は、以下のように示される。
［数１］
σ＝ＥαΔＴ  （１）
上記式（１）中、σは熱応力（Ｐａ）、Ｅは引張弾性率（ヤング率）（Ｐａ）、αは線膨張率（Ｋ−１）、ΔＴは変化した温度差（Ｋ）を示す。
【００１７】
通常、光電変換部は基板の間に配置された封止材により封止され、樹脂基板と封止材が接している。そのため、樹脂基板が熱伸縮することで、封止材もそれに伴い伸縮する。また、封止材自体も温度差により熱伸縮する。さらに、光電変換部間のタブ配線は、封止材に接するように配置されているため、封止材を介して熱伸縮の影響を受ける。
【００１８】
このような課題を解決するため、封止材としてゲルを用いることが考えられる。このようにすることで、光電変換部の熱応力を小さくすることができ、温度変化に対する耐性を改善することができる。
【００１９】
しかし、温度変化に対する耐性を改善するために、封止材としてゲルを用いた場合、局所的な加重に対する耐性が損なわれてしまう。すなわち、樹脂基板はガラス基板と比較して軽いものの、樹脂基板はガラス基板より衝撃に対する機械的強度が弱い。そのため、樹脂基板にヒョウ等が衝突した場合、樹脂基板にたわみが生じることがある。樹脂基板にたわみが生じると、たわんだ部分に加重が集中し、局所的な加重が樹脂基板に生じやすい。局所的な加重が樹脂基板に生じると、その加重が封止材を介して光電変換部に伝わり、光電変換部を曲げる力及び光電変換部を下方へ押す力として働くことがある。
【００２０】
一般的に、光電変換部は引張りのエネルギーに弱く、ガラス面から曲げ方向の応力が働いた場合、光電変換部の裏面側が破損してしまうおそれがある。また、下方向へ押す力が光電変換部に働くと、光電変換部が受光面とは反対側の基板に衝突し、破損してしまうおそれがある。そのため、樹脂基板を用いた場合、このような局所的な加重に対する耐性を考慮して太陽電池モジュールを設計する必要がある。
【００２１】
そこで、本実施形態に係る太陽電池モジュールは、第１樹脂基板と、第１樹脂層と、光電変換部と、第１樹脂体と第２樹脂体を含有する第２樹脂層と、第２樹脂基板とを所定の配置とした。また、第１樹脂層及び第１樹脂体の引張弾性率は第２樹脂体の引張弾性率より小さい。そのため、本実施形態にかかる太陽電池モジュールは、局所的な加重に対する耐性を維持しつつ、温度変化に対する耐性を向上させることができる。以下において、これらの構成要素の説明を行う。
【００２２】
図１は、本実施形態に係る太陽電池モジュール１００の断面図の一例を示している。本実施形態に係る太陽電池モジュール１００は、第１樹脂基板２０と、第１樹脂層３０と、光電変換部１０と、第２樹脂層４０と、第２樹脂基板５０と、を備える。第１樹脂層３０は第１樹脂基板２０下に配置される。光電変換部１０は第１樹脂層３０下に配置される。第２樹脂層４０は、光電変換部１０下に配置され、第１樹脂体４２と第２樹脂体４４とを含有する。第２樹脂基板５０は第２樹脂層４０下に配置される。
【００２３】
＜第１樹脂基板２０＞
第１樹脂基板２０は太陽電池モジュール１００の受光面側に配置されており、太陽電池モジュール１００の表面を保護する。本実施形態においては、便宜上、第１樹脂基板２０を受光面と呼び、第２樹脂基板５０を受光面と反対側の面と呼ぶこともあるが、用途に応じてそれぞれの面の外層に他の層を設けることもできる。第１樹脂基板２０の形状は、太陽電池モジュール１００の表面を保護する役割を果たす限り、特に限定されず、用途に応じて円形、楕円形、矩形などの多角形とすることができる。
【００２４】
第１樹脂基板２０を形成する材料は特に限定されず、例えば、ポリエチレン（ＰＥ）、ポリプロピレン（ＰＰ）、環状ポリオレフィン、ポリカーボネート（ＰＣ）、ポリメチルメタクリレート（ＰＭＭＡ）、ポリテトラフルオロエチレン（ＰＴＦＥ）、ポリスチレン（ＰＳ）、ポリエチレンテレフタレート（ＰＥＴ）、ポリエチレンナフタレート（ＰＥＮ）及びこれらの組合せからなる群より選択される少なくとも１種を用いることができる。これらの中でも、第１樹脂基板２０はポリカーボネート（ＰＣ）を含有することがより好ましい。ポリカーボネート（ＰＣ）は、耐衝撃性および透光性に優れ、太陽電池モジュール１００の表面を保護するのに好ましい。
【００２５】
第１樹脂基板２０の厚みは、太陽電池モジュール１００の表面を保護する役割を果たす限り特に限定されないが、０．１ｍｍ〜１５ｍｍとすることが好ましく、０．５ｍｍ〜１０ｍｍとすることがより好ましい。このような範囲とすることによって、太陽電池モジュール１００を適切に保護し、光を光電変換部１０に効率よく到達させることができる。
【００２６】
第１樹脂基板２０の引張弾性率は特に限定されないが、１．０ＧＰａ以上１０．０ＧＰａ以下であることが好ましく、２．３ＧＰａ以上２．５ＧＰａ以下であることがより好ましい。第１樹脂基板２０の引張弾性率をこのような範囲とすることによって、太陽電池モジュール１００の表面を適切に保護することができる。引張弾性率は、例えば、次のように、日本工業規格ＪＩＳ  Ｋ７１６１−１（プラスチック−引張特性の求め方−第１部：通則）により測定することができる。
［数２］
Ｅｔ＝（σ２−σ１）／（ε２−ε１）  （２）
上記式（２）において、Ｅｔは引張弾性率（Ｐａ）、σ１はひずみε１＝０．０００５における応力（Ｐａ）、σ２はひずみε２＝０．００２５における応力（Ｐａ）を示す。
【００２７】
第１樹脂基板２０の全光線透過率は特に限定されないが、８０％〜１００％であることが好ましく、８５％〜９５％であることがより好ましい。第１樹脂基板２０の全光線透過率をこのような範囲とすることにより、光を効率よく光電変換部１０へ到達させることができる。全光線透過率は、例えば、ＪＩＳ  Ｋ７３６１−１（プラスチック−透明材料の全光線透過率の試験方法−第１部：シングルビーム法）などの方法により測定することができる。
【００２８】
＜第１樹脂層３０＞
第１樹脂層３０は封止材として光電変換部１０を保護する。第１樹脂層３０は第１樹脂基板２０下に配置される。具体的には、第１樹脂層３０は第１樹脂基板２０のｚ軸の負方向側に配置される。第１樹脂層３０の形状は、第１樹脂基板２０と同様に、特に限定されず、用途に応じて円形、楕円形、矩形などの多角形とすることができる。
【００２９】
第１樹脂層３０と第１樹脂基板２０との間には他の部材を設けず、第１樹脂層３０は第１樹脂基板２０と直接接触させることができる。また、第１樹脂層３０と第１樹脂基板２０との間に、保護層や接着層など他の層を設けることもできる。
【００３０】
第１樹脂層３０を形成する材料は、特に限定されないが、第１樹脂層３０は各種ゲルを用いることができる。ゲルは、特に限定されないが、溶媒を含有したゲルと溶媒を含まないゲルに分類される。溶媒を含有したゲルには、分散媒が水のゲルであるヒドロゲル、分散媒が有機溶媒のゲルであるオルガノゲル、を用いることができる。また、溶媒を含有したゲルは、数平均分子量が１００００以上の高分子ゲル、数平均分子量が１０００以上１００００未満のオリゴマーゲル、数平均分子量が１０００未満の低分子ゲルのいずれを用いることができる。これらのなかでも、第１樹脂層３０は溶媒を含有した高分子ゲルもしくは溶媒を含まないゲルを使用することが好ましい。溶媒を含有した高分子ゲルもしくは溶媒を含まないゲルは光電変換部１０を固定することができるため、光電変換部１０の移動による接続部材１４の切断を抑制することができるためである。また、溶媒を含有した高分子ゲルもしくは溶媒を含まないゲルのなかでも、第１樹脂層３０はシリコーンゲル、ウレタンゲル、アクリルゲル、セグメント化ウレタンゲル、セグメント化アクリルゲル及びこれらの組合せからなる群より選択される少なくとも１種を含有することが好ましい。これらのゲルは引張弾性率が小さく、温度変化による熱応力や局所的な加重を緩和し、光電変換部１０の破損を抑制することができるためである。また、これらのゲルは光電変換部１０を固定し、光電変換部１０の移動による接続部材１４の切断を抑制することができる。
【００３１】
第１樹脂層３０の引張弾性率は特に限定されないが、０．１ｋＰａ以上５ＭＰａ未満であることが好ましく、１ｋＰａ以上１ＭＰａ以下であることがより好ましい。第１樹脂層３０の引張弾性率の下限をこのような値とすることによって、光電変換部１０を固定し、光電変換部１０の移動による接続部材１４の切断を抑制することができる。また、第１樹脂層３０の引張弾性率の上限をこのような値とすることによって、温度変化による熱応力や局所的な加重を効率よく緩和することができる。
【００３２】
第１樹脂層３０の厚みは、特に限定されないが、０．１ｍｍ以上１０ｍｍ以下であることが好ましく、０．２ｍｍ以上１．０ｍｍ以下であることがより好ましい。このような範囲とすることによって、光電変換部１０を適切に保護し、光を光電変換部１０に効率よく到達させることができる。
【００３３】
第１樹脂層３０の全光線透過率は特に限定されないが、６０％〜１００％であることが好ましく、７０％〜９５％であることがより好ましい。また、第１樹脂層３０の全光線透過率は８０％〜９５％であることがさらに好ましい。第１樹脂層３０の全光線透過率をこの範囲とすることにより、光を効率よく光電変換部１０へ到達させることができる。
【００３４】
＜光電変換部１０＞
光電変換部１０は、光エネルギーを電気エネルギーに変換するものであれば特に限定されない。そのため、本実施形態において、光電変換部１０は、太陽電池セル１２とすることもできるし、太陽電池セルストリング１８とすることもできる。
【００３５】
また、光電変換部１０は第１樹脂層３０下に配置される。光電変換部１０と第１樹脂層３０との配置関係は特に限定されず、光電変換部１０が第１樹脂層３０の少なくとも一部と接するように配置することもできるし、光電変換部１０全体を覆うように第１樹脂層３０を配置することもできる。このような配置とすることにより、光電変換部１０の表面の導電配線などに伴う凹凸構造が第１樹脂層３０により覆われ、第１樹脂層３０と光電変換部１０とを密着させることができる。これにより、温度変化による光電変換部１０の表面の気泡が発生するのを抑制することができる。また、第１樹脂層３０が保護層として働くため、第１樹脂層３０内を透過した水分が光電変換部１０へ透過するのを抑制することが可能となる。
【００３６】
太陽電池セル１２としては、例えば、シリコン系太陽電池、化合物系太陽電池、有機系太陽電池などが挙げられる。シリコン系太陽電池としては、単結晶シリコン系太陽電池、多結晶シリコン系太陽電池、微結晶シリコン系太陽電池、アモルファスシリコン系太陽電池などが挙げられる。化合物系太陽電池としては、ＧａＡｓ系太陽電池、ＣＩＳ系太陽電池、ＳＩＧＳ系太陽電池、ＣｄＴｅ系太陽電池などが挙げられる。有機系太陽電池としては、色素増感太陽電池、有機薄膜太陽電池などが挙げられる。また、太陽電池セル１２として、ヘテロ接合型太陽電池や多接合型太陽電池を用いることもできる。
【００３７】
太陽電池セル１２の形状は、特に限定されないが、表面、裏面及び側面を有する平板状とすることができる。ここで、表面とは、例えば、受光面側の第１樹脂基板２０と対向する面とすることができる。また、裏面とは、例えば、受光面と反対側の第２樹脂基板５０と対向する面とすることができる。また、側面とは、表面と裏面とで挟まれ、側部を形成する面とすることができる。具体的な形状の例としては、太陽電池セル１２を矩形状の平板とすることが挙げられるが、特に限定されない。また、太陽電池セル１２は、ｘ−ｙ平面上にマトリクス状に配列することができる。
【００３８】
隣接した太陽電池セル１２は接続部材１４により互いに電気的に接続することができ、太陽電池セルストリング１８を形成する。図１では、太陽電池セルストリング１８は、隣接した太陽電池セル１２のうち、一方の受光面側のバスバー電極と、受光面と反対側のバスバー電極とを、接続部材１４により電気的に接続することにより形成されている。
【００３９】
図２では、一例として、ｙ軸方向に並んで配置される５つの太陽電池セル１２が、接続部材１４によって直列に接続され、１つの太陽電池セルストリング１８が形成されている。また、図２では、一例として、ｙ軸方向に延びた太陽電池セルストリング１８がｘ軸方向に４つ平行に並べられている。なお、図２では一例を示したが、太陽電池セル１２の数や配置などは限定されない。
【００４０】
接続部材１４は、太陽電池セル１２を互いに電気的に接続するものであれば、形状や材料は特に限定されないが、例えば、細長い金属箔により形成されたタブ配線とすることができる。接続部材１４の材料としては、例えば、銅などを用いることができる。また、接続部材１４は、ハンダや銀などをコーティングして用いることもできる。
【００４１】
接続部材１４とバスバー電極との接続には樹脂を使用することができる。この樹脂は導電性、非導電性いずれでもよい。非導電性樹脂の場合はタブ配線とバスバー電極とが直接接続されることで電気的に接続される。また、接続部材１４は、樹脂ではなくハンダでもよい。
【００４２】
なお、図１では省略しているが、各太陽電池セル１２の受光面及び受光面と反対側の面には、互いに平行にｘ軸方向に延びる複数のフィンガー電極と、複数のフィンガー電極に直交するようにｙ軸方向に延びる複数、例えば２本のバスバー電極とが備えられる。バスバー電極は、複数のフィンガー電極のそれぞれを接続する。
【００４３】
さらに、太陽電池セルストリング１８のｙ軸の正方向側と負方向側において、複数の接続配線１６がｘ軸方向に延びており、接続配線１６は、隣接した２つの太陽電池セルストリング１８を電気的に接続する。本実施形態においては、複数の太陽電池セルストリング１８と接続配線１６との組合せを、光電変換部１０とすることもできる。
【００４４】
太陽電池モジュール１００の端縁部には、図示しないフレームを取り付けることもできる。フレームは、太陽電池モジュール１００の端縁部を保護するとともに、太陽電池モジュール１００を屋根等に設置する際に利用される。
【００４５】
＜第２樹脂層４０＞
第２樹脂層４０も第１樹脂層３０と同様、封止材として光電変換部１０を保護する。第２樹脂層４０は光電変換部１０下に配置される。具体的には、第２樹脂層４０は光電変換部１０のｚ軸の負方向側に配置される。また、第２樹脂層４０は第１樹脂層３０下に配置することもできる。具体的には、第２樹脂層４０は第１樹脂層３０のｚ軸の負方向側に配置される。第２樹脂層４０の形状は、第１樹脂基板２０と同様、特に限定されず、用途に応じて円形、楕円形、矩形などの多角形とすることができる。
【００４６】
第２樹脂層４０の厚みは、特に限定されないが、０．１ｍｍ以上１０ｍｍ以下であることが好ましく、０．２ｍｍ以上１．０ｍｍ以下であることがより好ましい。このような範囲とすることによって、光電変換部１０を熱衝撃から適切に保護することができる。
【００４７】
第２樹脂層４０と第１樹脂層３０との間には他の部材を設けず、第２樹脂層４０は第１樹脂層３０と直接接触させることができる。また、第２樹脂層４０と第１樹脂層３０との間に、保護層や接着層など他の層を設けることもできる。
【００４８】
第２樹脂層４０は第１樹脂体４２と第２樹脂体４４とを含有していれば、それぞれの形状は特に限定されず、層状、球体状、楕円体状、円錐状、多角錐状、多角柱状からなる群よりなる少なくとも１種とすることができる。また、第１樹脂体４２と第２樹脂体４４の配置は、それぞれ特に限定されないが、例えば図１のように、第２樹脂層４０が層状の第１樹脂体４２と層状の第２樹脂体４４とを含有することが考えられる。具体的には、層状の第２樹脂体４４は光電変換部１０下に配置され、層状の第１樹脂体４２は層状の第２樹脂体４４下に配置することができる。
【００４９】
このように、第２樹脂層４０は第１樹脂体４２と第２樹脂体４４とを含有する。また、第１樹脂層３０及び第１樹脂体４２の引張弾性率は第２樹脂体４４の引張弾性率より小さい。そのため、第２樹脂層４０全体の引張弾性率は第２樹脂体４４単体の引張弾性率よりも相対的に小さくなる。すなわち、太陽電池モジュール１００の温度差が大きくなり、第２樹脂層４０が熱伸縮した場合であっても、光電変換部１０に加わる熱応力が相対的に小さくなり、光電変換部１０の破損が抑制される。したがって、太陽電池モジュール１００の温度変化に対する耐性が向上する。
【００５０】
特に限定されないが、例えば図１及び図３〜図６のように、第２樹脂体４４の少なくとも一部は太陽電池セル１２の鉛直下方に配置されていることが好ましい。鉛直下方とは、ｚ軸の負方向を意味する。第２樹脂層４０全体の引張弾性率が小さいと、局所的な加重が光電変換部１０に伝わった場合に、光電変換部１０が第２樹脂基板５０に衝突し破損するおそれがある。また、局所的な荷重が光電変換部１０に曲げ方向の応力として伝わり、光電変換部１０が破損するおそれがある。しかし、本実施形態においては、第２樹脂体４４の引張弾性率は第１樹脂体４２の引張弾性率より大きい。そのため、ヒョウ等の局所的な荷重が光電変換部１０に伝わった場合であっても、第２樹脂体４４が弾性体となって、光電変換部１０を支えるため、光電変換部１０の破損を抑制することができる。したがって、太陽電池モジュール１００の局所的な荷重に対する耐性が向上する。  
【００５１】
特に限定されないが、例えば図１及び図３〜５のように、第２樹脂体４４を太陽電池セル１２の下面の少なくとも一部と接触させることができる。太陽電池セル１２は引張りのエネルギーに弱く、ガラス面から曲げ方向の応力が働いた場合、太陽電池セル１２の裏面側が破損してしまうおそれがある。しかし、第２樹脂体４４の引張弾性率が第１樹脂体４２の引張弾性率と比較して大きいため、第２樹脂体４４の曲げ弾性率も第１樹脂体４２の曲げ弾性率と比較して大きくなる。そのため、第２樹脂体４４を太陽電池セル１２の下面の少なくとも一部と接触させることにより、太陽電池セル１２が折れ曲がりにくくなり、太陽電池セル１２の破損が抑制される。
【００５２】
特に限定されないが、例えば図３及び図４のように、第１樹脂体４２は接続部材１４の少なくとも一部と接触し、第２樹脂体４４は太陽電池セル１２の下面全体を接触して覆うように配置することができる。すなわち、光電変換部１０は太陽電池セル１２であり、隣接する太陽電池セル１２は互いに接続部材で電気的に接続されている。そして、第１樹脂体４２は接続部材の少なくとも一部と接触し、第２樹脂体４４は太陽電池セル１２の下面全体を接触して覆うように配置することができる。このようにすると、第１樹脂体４２の引張弾性率は第２樹脂体４４の引張弾性率より小さいため、太陽電池モジュール１００に温度差が生じた場合であっても、接続部材１４が断線しにくい。なお、接続部材１４をより断線しにくくするため、第１樹脂体４２が太陽電池セル１２間の接続部材１４の下面全体を接触して覆うように配置することができる。
【００５３】
特に限定されないが、図４〜図６のように、第２樹脂体４４は第２樹脂基板５０の少なくとも一部と接触して配置することができる。このようにすることで、第２樹脂基板５０が相対的に曲げ弾性率の大きい第２樹脂体４４に補強されるため、太陽電池モジュール１００全体のたわみを抑制することができる。また、太陽電池をよりたわみにくくするため、図６のように、第２樹脂体４４を第２樹脂基板５０の全面に接触して配置することができる。
【００５４】
図５及び図６のように、第１樹脂体４２は光電変換部１０の少なくとも一部と接触して配置することができる。相対的に引張弾性率の小さい第１樹脂体４２を光電変換部１０の少なくとも一部と接触させることで、第２樹脂層４０の熱伸縮による熱応力を緩和でき、太陽電池モジュール１００の温度変化に対する耐性を向上させることができる。また、図６のように、第２樹脂層４０が層状の第１樹脂体４２と層状の第２樹脂体４４とを含有することができる。具体的には、層状の第１樹脂体４２は光電変換部１０下に配置され、層状の第２樹脂体４４は層状の第１樹脂体４２下に配置することができる。すなわち、第１樹脂体４２は光電変換部１０の下面全体を覆うことができる。このようにすることにより、光電変換部１０が相対的に引張弾性率の小さい第１樹脂体４２に覆われるため、第１樹脂体４２が熱伸縮した場合であっても、熱応力が小さいため、光電変換部１０の破損を抑制することができる。すなわち、太陽電池モジュール１００の温度変化に対する耐性をより向上させることができる。
【００５５】
第１樹脂体４２を形成する材料は、特に限定されないが、第１樹脂体４２は各種ゲルを用いることができる。ゲルは、特に限定されないが、溶媒を含有したゲルと溶媒を含まないゲルに分類される。溶媒を含有したゲルには、分散媒が水のゲルであるヒドロゲル、分散媒が有機溶媒のゲルであるオルガノゲルを用いることができる。また、溶媒を含有したゲルは、数平均分子量が１００００以上の高分子ゲル、数平均分子量が１０００以上１００００未満のオリゴマーゲル、数平均分子量が１０００未満の低分子ゲルのいずれを用いることができる。これらのなかでも、第１樹脂体４２は溶媒を含有した高分子ゲルもしくは溶媒を含まないゲルを使用することが好ましい。溶媒を含有した高分子ゲルもしくは溶媒を含まないゲルは光電変換部１０を固定することができるため、光電変換部１０の移動による接続部材１４の切断を抑制することができるためである。また、溶媒を含有した高分子ゲルもしくは溶媒を含まないゲルのなかでも、第１樹脂体４２はシリコーンゲル、ウレタンゲル、アクリルゲル、セグメント化ウレタンゲル、セグメント化アクリルゲル及びこれらの組合せからなる群より選択される少なくとも１種を含有することが好ましい。これらのゲルは引張弾性率が小さく、温度変化による熱応力や局所的な加重を緩和し、光電変換部１０の破損を抑制することができるためである。また、これらのゲルは光電変換部１０を固定し、光電変換部１０の移動による接続部材１４の切断を抑制することができる。
【００５６】
第１樹脂体４２の引張弾性率は特に限定されないが、０．１ｋＰａ以上５ＭＰａ未満であることが好ましく、１ｋＰａ以上１ＭＰａ以下であることがより好ましい。第１樹脂体４２の引張弾性率の下限をこのような値とすることによって、封止材として光電変換部１０を適切に保護することができる。また、第１樹脂体４２の引張弾性率の上限をこのような値とすることによって、熱応力の緩和や局所的な衝撃を効率よく吸収することができる。このため、上述した第１樹脂層３０との関係より、第１樹脂層３０及び第１樹脂体４２の引張弾性率はそれぞれ５ＭＰａ未満であることが好ましく、第１樹脂層３０及び第１樹脂体４２の引張弾性率はそれぞれ１ＭＰａ以下であることがより好ましい。
【００５７】
第２樹脂体４４を形成する材料は特に限定されず、例えば、エチレン−酢酸ビニル共重合体（ＥＶＡ）、ポリビニルブチラール（ＰＶＢ）、ポリエチレンテレフタレート（ＰＥＴ）、ポリオレフィン（ＰＯ）、ポリイミド（ＰＩ）などの熱可塑性樹脂、エポキシ、ウレタン、ポリイミドなどの熱硬化性樹脂及びこれらの組合せからなる群より選択される少なくとも１種を用いることができる。これらの樹脂は変性樹脂を用いることもでき、それぞれの組合せとして用いることもできる。なかでも、第２樹脂体４４はエチレン−酢酸ビニル共重合体（ＥＶＡ）を含有することが好ましい。
【００５８】
第２樹脂体４４の引張弾性率は特に限定されないが、０．００５ＧＰａ〜０．５ＧＰａであることが好ましく、０．０１ＧＰａ〜０．２５ＧＰａであることがより好ましい。第２樹脂体４４の引張弾性率の下限をこのような値とすることによって、ヒョウ等の局所的な荷重が第１樹脂基板２０及び第１樹脂層３０を介して光電変換部１０に伝わった場合であっても、光電変換部１０の破損を抑制することができる。また、第２樹脂体４４の引張弾性率の上限をこのような値とすることによって、太陽電池モジュール１００の温度が上昇した場合であっても、熱応力による光電変換部１０の破損を抑制することができる。そのため、太陽電池モジュール１００の耐熱衝撃性を向上させることができる。
【００５９】
＜第２樹脂基板５０＞
第２樹脂基板５０は、バックシートとして太陽電池モジュール１００の受光面と反対側の面を保護する。第２樹脂基板５０は第２樹脂層４０下に配置される。具体的には、第２樹脂基板５０は、第２樹脂層４０のｚ軸の負方向側に配置される。
【００６０】
第２樹脂層４０と第２樹脂基板５０との間には他の部材を設けず、第２樹脂層４０は第２樹脂基板５０と直接接触させることができる。また、第２樹脂層４０と第２樹脂基板５０との間に、保護層や接着層など他の層を設けることもできる。
【００６１】
第２樹脂基板５０を形成する材料は特に限定されず、例えば、繊維強化プラスチック（ＦＲＰ）、ポリイミド（ＰＩ）、環状ポリオレフィン、ポリカーボネート（ＰＣ）、ポリメチルメタクリレート（ＰＭＭＡ）、ポリエーテルエーテルケトン（ＰＥＥＫ）、ポリスチレン（ＰＳ）、ポリエチレンテレフタレート（ＰＥＴ）、ポリエチレンナフタレート（ＰＥＮ）及びこれらの組合せからなる群より選択される少なくとも１種を用いることができる。繊維強化プラスチック（ＦＲＰ）としては、ガラス繊維強化プラスチック（ＧＦＲＰ）、炭素繊維強化プラスチック（ＣＦＲＰ）、アラミド繊維強化プラスチック（ＡＦＲＰ）などが挙げられる。なお、ガラス繊維強化プラスチック（ＧＦＲＰ）としては、ガラスエポキシなどが挙げられる。第２樹脂基板５０を形成する材料は、繊維強化プラスチック（ＦＲＰ）、ポリメチルメタクリレート（ＰＭＭＡ）、ポリエーテルエーテルケトン（ＰＥＥＫ）及びこれらの組合せからなる群より選択される少なくとも１種を含有することが好ましい。これらの材料は衝撃等によりたわみが発生しにくいためである。
【００６２】
第２樹脂基板５０の厚みは、特に限定されないが、０．１ｍｍ以上１０ｍｍ以下であることが好ましく、０．２ｍｍ以上５．０ｍｍ以下であることがより好ましい。このような範囲とすることによって、第２樹脂基板５０のたわみを抑制し、太陽電池モジュール１００をより軽量化できる。
【００６３】
第２樹脂基板５０の引張弾性率は特に限定されないが、１．０ＧＰａ以上１０．０ＧＰａ以下であることが好ましく、２．３ＧＰａ以上２．５ＧＰａ以下であることがより好ましい。また、第１樹脂層３０及び第１樹脂体４２の引張弾性率は、第１樹脂基板２０、第２樹脂体４４及び第２樹脂基板５０の引張弾性率よりも小さいことが好ましい。このようにすることにより、第１樹脂層３０及び第１樹脂体４２が熱伸縮や局所的な荷重を緩和するため、光電変換部１０の破損を抑制することができる。
【００６４】
＜太陽電池モジュール１００の製造方法＞
本実施形態に係る太陽電池モジュール１００は公知の方法を用いて作成することができる。例えば、ヒーター上に第１樹脂基板２０、第１樹脂層３０、光電変換部１０、第２樹脂層４０、第２樹脂基板５０を順番にラミネートして、加熱成形することができる。
【００６５】
第２樹脂層４０に第１樹脂体４２及び第２樹脂体４４を含有させる方法は特に限定されない。例えば上述のように、ヒーター上に第１樹脂基板２０、第１樹脂層３０、光電変換部１０、第１樹脂体４２、第２樹脂体４４、第２樹脂基板５０を順番にラミネートして、加熱成形することができる。また、例えば上述のように、ヒーター上に第１樹脂基板２０、第１樹脂層３０、光電変換部１０、第２樹脂体４４、第１樹脂体４２、第２樹脂基板５０を順番にラミネートして、加熱成形することもできる。また、共押出成型により、第１樹脂体４２及び第２樹脂体４４が層状に形成された第２樹脂層４０を成型することもできる。また、第１樹脂体４２又は第２樹脂体４４を光電変換部１０に事前にラミネートすることもできる。
【００６６】
加熱条件は特に限定されないが、例えば真空状態で１５０℃程度に加熱される。真空条件で加熱した場合は、泡抜け性がさらに向上する。真空加熱の後、大気圧下において、各層を加圧しながらヒーターなどにより加熱して、樹脂成分を架橋することもできる。加熱により得られた積層体には、フレームなどを取り付けることもできる。
【００６７】
以下、本実施形態に係る太陽電池モジュール１００の効果を説明する。
【００６８】
本実施形態に係る太陽電池モジュール１００は、第１樹脂基板２０と、第１樹脂層３０と、光電変換部１０と、第２樹脂層４０と、第２樹脂基板５０と、を備える。第１樹脂層３０は第１樹脂基板２０下に配置される。光電変換部１０は第１樹脂層３０下に配置される。第２樹脂層４０は、光電変換部１０下に配置され、第１樹脂体４２と第２樹脂体４４とを含有する。第２樹脂基板５０は第２樹脂層４０下に配置される。第１樹脂層３０及び第１樹脂体４２の引張弾性率は第２樹脂体４４の引張弾性率より小さい。
【００６９】
本実施形態に係る太陽電池モジュール１００は、第１樹脂基板２０と、第１樹脂層３０と、光電変換部１０と、第２樹脂層４０と、第２樹脂基板５０と、を備える。第１樹脂層３０は第１樹脂基板２０下に配置される。光電変換部１０は第１樹脂層３０下に配置される。第２樹脂層４０は、光電変換部１０下に配置され、第１樹脂体４２と第２樹脂体４４とを含有する。第２樹脂基板５０は第２樹脂層４０下に配置される。隣接した光電変換部１０は接続部材１４により互いに電気的に接続されている。第１樹脂層３０及び第１樹脂体４２の引張弾性率は第２樹脂体４４の引張弾性率より小さい。
【００７０】
そのため、第２樹脂層４０全体の引張弾性率は第２樹脂体４４単独の引張弾性率よりも相対的に小さくなる。すなわち、太陽電池モジュール１００の温度差が大きくなり、第２樹脂層４０が熱伸縮した場合であっても、光電変換部１０に加わる熱応力が相対的に小さくなる。したがって、太陽電池モジュール１００に温度差が生じた場合であっても、光電変換部１０の破損を抑制することができる。すなわち、太陽電池モジュール１００の温度変化に対する耐性を向上させることができる。
【００７１】
特願２０１６−０３８６７４号（出願日：２０１６年３月１日）の全内容は、ここに援用される。
【００７２】
以上、本実施形態を実施例によって説明したが、本実施形態はこれらに限定されるものではなく、本実施形態の要旨の範囲内で種々の変形が可能である。
【産業上の利用可能性】
【００７３】
本実施形態の太陽電池モジュールは、光電変換部下に配置され、第１樹脂体と第２樹脂体とを含有する第２樹脂層を備え、第１樹脂層及び第１樹脂体の引張弾性率は第２樹脂体の引張弾性率より小さい。そのため、本実施形態によれば、太陽電池モジュールの温度変化に対する耐性を向上させることができる。
【符号の説明】
【００７４】
１０    光電変換部
１２    太陽電池セル
１４    接続部材
２０    第１樹脂基板
３０    第１樹脂層
４０    第２樹脂層
４２    第１樹脂体
４４    第２樹脂体
５０    第２樹脂基板
１００  太陽電池モジュール
【図１】
2017150045.tif 000003
【図２】
2017150045.tif 000004
【図３】
2017150045.tif 000005
【図４】
2017150045.tif 000006
【図５】
2017150045.tif 000007
【図６】
2017150045.tif 000008
【国際調査報告】
2017150045.tif 000009
2017150045.tif 000010
2017150045.tif 000011